(57)【要約】【課題】移動通信システムで基地局がサービス別に決定される第１情報とセル別に決定される第２情報を基地局制御器から受信し、基地局が前記第１情報と第２情報を運用及び維持する装置及び方法を提供する。【解決手段】多数の使用者端末機と、使用者端末機にマルチメディア放送マルチキャスト(ＭＢＭＳ)サービスを提供する多数のセルを含む基地局と、基地局と隣接基地局を制御する基地局制御器とを含む移動通信システムで、基地局制御器と基地局との間にマルチメディア放送マルチキャストサービスを提供する方法において、要請メッセージを基地局に伝送する過程と、サービスコンテキストを生成し、サービスコンテキスト識別情報を割り当てる過程と、基地局は、トランスポートベアラーをセットアップし、以後ＭＢＭＳサービスデータを受信すると、それぞれのセルに受信したＭＢＭＳデータを伝送して使用者端末機がＭＢＭＳデータを受信するように制御する過程とを含む。【選択図】図３
2004135283.tif 000002
【特許請求の範囲】
【請求項１】
　多数の使用者端末機と、前記使用者端末機にマルチメディア放送マルチキャスト(ＭＢＭＳ)サービスを提供する多数のセルを含む基地局と、基地局と前記基地局の隣接基地局を制御する基地局制御器とを含む移動通信システムで、前記基地局制御器と前記基地局との間にマルチメディア放送マルチキャストサービスを提供する方法において、
　前記基地局制御器が前記ＭＢＭＳサービスを支援するために、サービス別に決定される第１情報とセル別に決定される第２情報を含む要請メッセージを前記基地局に伝送する過程と、
　前記基地局が前記要請メッセージの前記第１情報と第２情報によりＭＢＭＳサービスを提供するためのサービスコンテキストを生成し、前記サービスコンテキスト識別情報を割り当てる過程と、
　前記基地局は前記サービスコンテキストにより前記基地局制御器と前記第１情報に相応するようにトランスポートベアラーをセットアップし、以後前記トランスポートベアラーを通じて前記基地局制御器から前記ＭＢＭＳサービスデータを受信すると、前記それぞれのセルに前記受信したＭＢＭＳデータを伝送して前記使用者端末機が前記ＭＢＭＳデータを受信するように制御する過程と
　を含むことを特徴とする方法。
【請求項２】
　前記第１情報はＭＢＭＳサービスにより決定される情報である請求項１記載の方法。
【請求項３】
　前記第２情報は前記基地局に属する多数のセルにより決定される情報である請求項１記載の方法。
【請求項４】
　前記第１情報は基地局により決定される情報である請求項１記載の方法。
【請求項５】
　多数の使用者端末機と、前記使用者端末機にマルチメディア放送マルチキャスト(ＭＢＭＳ)サービスを提供する多数のセルを含む基地局を制御する基地局制御器を含む移動通信システムで、前記基地局制御器が前記基地局にマルチメディア放送マルチキャストサービスを提供するための方法において、
　前記ＭＢＭＳサービスを受信する多数の使用者端末機が位置しているセルと、前記セルを含む基地局を確認する過程と、
　前記基地局の前記ＭＢＭＳサービスを支援するために、サービス別に決定される第１情報とセル別に決定される第２情報を含む前記ＭＢＭＳサービスを支援するためのトランスポートベアラー設定要請メッセージを前記基地局に伝送する過程と
　を含むことを特徴とする方法。
【請求項６】
　前記トランスポートベアラーを設定するための要請メッセージは前記ＭＢＭＳサービス別に決定される無線ベアラー情報と、前記ＭＢＭＳサービスを提供するためのトランスポートチャンネル設定識別子とトランスポートフォーマットセット情報を含む前記第１情報と、前記セルそれぞれの識別子と無線リンク識別子とコード情報及びタイミング情報と伝送出力情報とを含む第２情報とを含んでなるメッセージである請求項５記載の方法。
【請求項７】
　前記トランスポートベアラーを設定するための要請メッセージの第２情報は前記ＭＢＭＳサービスを受信する前記基地局に属する前記セルの数により反復されて挿入される挿入請求項６記載の方法。
【請求項８】
　多数の使用者端末機と、前記使用者端末機にマルチメディア放送マルチキャスト(ＭＢＭＳ)サービスを提供する多数のセルを含む基地局を制御する地局制御器を含む移動通信システムで、前記基地局が前記基地局制御器からマルチメディア放送マルチキャストサービスの提供を受ける方法において、
　前記基地局制御器から前記基地局の前記ＭＢＭＳサービスを支援するために、サービス別に決定される第１情報とセル別に決定される第２情報を含む前記ＭＢＭＳサービスを支援するためのトランスポートベアラー設定要請メッセージを受信する過程と、
　前記第１情報と、前記第２情報により前記ＭＢＭＳサービスを支援するためのサービスコンテキストを生成し、他の基地局のＭＢＭＳサービスを支援するためのサービスコンテキストと区別するための識別子を割り当てる過程と、
　前記第１情報と前記第２情報を利用して前記ＭＢＭＳサービスを受信する多数の使用者端末機が位置しているセル別に送信機を構成する過程と、
　前記トランスポートベアラーを設定するためのトランスポートアドレス識別子とバインディング識別子と前記サービスコンテキスト識別子を含むトランスポートベアラー設定応答メッセージを伝送する過程と
　を含むことを特徴とする方法。
【請求項９】
　移動通信システムでマルチメディア放送マルチキャストサービス(ＭＢＭＳ)データ伝送方法において、
　所定のＭＢＭＳに対するサービス開始を感知すれば、前記ＭＢＭＳデータを受信する使用者端末機が存在するセルを検出する過程と、
　前記セルが属する基地局とトランスポートベアラーをセットアップするための第１情報を決定して前記基地局に伝送する過程と、
　前記第１情報を受信した基地局は前記基地局制御器と前記第１情報に相応するようにトランスポートベアラーをセットアップし、以後前記トランスポートベアラーを通じて前記基地局制御器から前記ＭＢＭＳサービスデータを受信すれば、前記セルそれぞれに前記受信したＭＢＭＳデータを伝送して前記使用者端末機が前記ＭＢＭＳデータを受信するように制御する過程と
　を含むことを特徴とする方法。
【請求項１０】
　移動通信システムでマルチメディア放送マルチキャストサービス(ＭＢＭＳ)データ伝送方法において、
　所定のＭＢＭＳに対するサービス開始を感知すれば、前記ＭＢＭＳデータを受信する使用者端末機が存在するセルを検出する過程と、
　前記セルが属する基地局とトランスポートベアラーをセットアップするための第１情報を決定し、前記第１情報に相応するように前記基地局とトランスポートベアラーをセットアップする過程と、
　前記トランスポートベアラーを通じて前記基地局に前記ＭＢＭＳデータを伝送して前記使用者端末機が前記ＭＢＭＳデータを受信するように制御する過程と
　を含むことを特徴とする方法。
【請求項１１】
　前記トランスポートベアラーセットアップは前記基地局制御器と基地局との間に一つのトランスポートベアラーを設定し、前記設定された一つのトランスポートベアラーを通じて前記ＭＢＭＳデータを伝送するためのことである請求項１０記載の方法。
【請求項１２】
　移動通信システムでマルチメディア放送マルチキャストサービス（ＭＢＭＳ）データ送受信方法において、
　基地局制御器から前記ＭＢＭＳデータを受信するためのトランスポートベアラーをセットアップするための第１情報と、前記ＭＢＭＳデータを受信する使用者端末機が存在するセル情報を受信する過程と、
　前記第１情報に相応するように前記トランスポートベアラーをセットアップし、前記セル情報に相応するように無線ベアラーをセットアップする過程と、
　前記トランスポートベアラーを通じて前記基地局制御器から前記ＭＢＭＳサービスデータを受信すれば、前記無線ベアラーを通じて前記受信したＭＢＭＳデータを伝送して前記使用者端末機が前記ＭＢＭＳデータを受信するように制御する過程と
　を含むことを特徴とする方法。
【請求項１３】
　前記ＭＢＭＳデータを受信するように制御する過程は、基地局通信コンテキストを構成し、ＭＢＭＳ階層１情報とＭＢＭＳ階層２情報とを貯蔵し、前記ＭＢＭＳ階層２情報と前記ＭＢＭＳ階層１情報により送信機を構成する過程である請求項１２記載の方法。
【請求項１４】
　移動通信システムでマルチメディア放送マルチキャストサービス（ＭＢＭＳ）データ送受信装置において、
　前記ＭＢＭＳデータを受信するためのトランスポートベアラーをセットアップするための第１情報と、前記ＭＢＭＳデータを受信する使用者端末機が存在するセル情報を含むメッセージを伝送する基地局制御器と、
　前記第１情報に相応するように前記トランスポートベアラーをセットアップし、前記セル情報に相応するように無線ベアラーをセットアップして前記トランスポートベアラーを通じて前記基地局制御器から伝送される前記ＭＢＭＳサービスデータを受信して前記無線ベアラーを通じて前記使用者端末機に伝送する基地局と
　を含むことを特徴とする装置。
【請求項１５】
　移動通信システムでマルチメディア放送マルチキャストサービス（ＭＢＭＳ）データ基地局装置において、
　基地局制御器から前記ＭＢＭＳデータを受信するためのトランスポートベアラーをセットアップするための第１情報と、前記ＭＢＭＳデータを受信する使用者端末機が存在するセル情報を含むメッセージを受信して前記ＭＢＭＳサービスコンテキストを生成し、前記セル情報を利用して該当セルに前記ＭＢＭＳサービスを伝送するためのセル送信機を構成する送信制御器と、
　前記セル送信機を通じて該当セルに前記ＭＢＭＳデータを伝送するように前記ＭＢＭＳデータを分配する分配ユニットと
　を含むことを特徴とする装置。
【請求項１６】
　前記分配ユニットは、
　分配ユニット制御器の制御により前記該当セルの個数に対応して前記ＭＢＭＳデータを複写するコピー機と、
　前記分配ユニット制御器の制御により前記コピー機から伝送されるＭＢＭＳデータをセル送信機と連結するためのスイッチと、
　前記送信制御器からセル情報を受信して前記コピー機と前記スイッチに制御信号を印加する分配ユニット制御器と
　を含むことを特徴とする請求項１５記載の装置。
【発明の詳細な説明】
【技術分野】
【０００１】
　本発明は移動通信システムでマルチメディア放送マルチキャストサービスに関するもので、特に基地局制御器と基地局との間にマルチメディア放送マルチキャストサービスを提供するためのトランスポートベアラーを設定する装置及び方法に関するものである。
【背景技術】
【０００２】
　一般に、マルチメディア放送マルチキャストサービス(Multimedia Broadcast/ Multicast Service：以下、“ＭＢＭＳ”とする)は無線ネットワークを通じて同一のマルチメディア データを多数の受信者に伝送するサービスを総称する。このとき、多数の受信者が一つの無線チャンネルを公有することにより、無線伝送資源を節約することができる。
　図１は、一般的なＭＢＭＳサービスを提供するための移動通信システムの構造を示す構成図である。
【０００３】
　図１を参照すれば、ＭＢＭＳサービスを提供するための前記移動通信システムは多数の使用者端末機(User Equipment：以下、“ＵＥ”とする)１６１、１６２、１６３、１７１、１７２、基地局(以下、“Ｎｏｄｅ Ｂ”とする)１５０、基地局制御器(Radio Network Controller：以下、“ＲＮＣ”とする)１４０、サービスパケット無線サービス支援ノード(Serving GPRS Support Node：以下、“ＳＧＳＮ”とする)１３０、中継ネットワーク(Transit Network)１２０、及びマルチキャスト放送-サービスセンター(Multicast/ Broadcast-Service Center：以下、“ＭＢ-ＳＣ”とする)１１０を備えている。
【０００４】
　ＵＥ・１６１、１６２、１６３、１７１、１７２はＭＢＭＳサービスを受信することができる加入者を意味する。Ｎｏｄｅ Ｂ・１５０はセル１・１６０とセル２・１７０を含んで多数のセルを管理し、ＵＥにＭＢＭＳ関連データを伝送する。セル１・１６０はＮｏｄｅ Ｂ・１５０から受けたＭＢＭＳ関連データを前記ＵＥ・１６１、１６２、１６３に伝達する。セル２ １７０はＮｏｄｅ Ｂ・１５０から受けたＭＢＭＳ関連データをＵＥ・１７１、１７２に伝達する。前記Ｎｏｄｅ Ｂ・１５０はＲＮＣ・１４０とIubインタフェースを通じて連結されている。ここで、IubインタフェースはＮｏｄｅ Ｂ・１５０とＲＮＣ・１４０を連結するインタフェースを意味する。ＲＮＣ・１４０はＮｏｄｅ Ｂ・１５０と多数のＮｏｄｅ Ｂを制御する。前記ＲＮＣ・１４０はＭＢＭＳデータを特定Ｎｏｄｅ Ｂに選別的に伝送する役割を遂行し、前記ＭＢＭＳサービスを提供するために設定されている無線チャンネルを制御する役割を遂行する。ＳＧＳＮ・１３０はそれぞれの加入者に伝送されるＭＢＭＳ関連サービスを制御する役割を遂行する。代表的な例で、各加入者のサービス課金関連データを管理する役割と、ＭＢＭＳデータを特定ＲＮＣに選別的に伝送する役割などを遂行する。前記中継ネットワーク１２０はＭＢ-ＳＣ・１１０とＳＧＳＮ・１３０との間の通信路を提供する。この中継ネットワーク１２０はゲートウェイパケット無線サービス支援ノード(Gateway GPRS Support Node：以下、“ＧＧＳＮ”とする)が外部網で構成されることができる。ＭＢ-ＳＣ・１１０はＭＢＭＳサービスを提供するＭＢＭＳデータの根源地で、各ＭＢＭＳデータのスケジューリングを遂行する。図１に示していないが、ホーム位置レジスタ (Home Location Register：ＨＬＲ)は前記ＳＧＳＮ・１３０と連結されて、ＭＢＭＳサービスの提供を受ける加入者を認証する役割を遂行する。
【０００５】
　上記図１に示したように、ＭＢＭＳデータストリームは中継ネットワーク１２０、ＳＧＳＮ・１３０、ＲＮＣ・１４０、Ｎｏｄｅ Ｂ・１５０、及びセル１６０、１７０を経てＵＥ・１６１、１６２、１６３、１７１、１７２に伝送される。一つのＭＢＭＳサービスに対して多数のＳＧＳＮ・１３０と各ＳＧＳＮ・１３０に対して多数のＲＮＣ・１４０が存在することができる。また、ＳＧＳＮ・１３０はＲＮＣ・１４０に、ＲＮＣ・１４０は多数の各セルに選別的なデータ伝送を遂行すべきであり、このためにストリームを伝達するノードのリスト(すなわち、ＳＧＳＮはＲＮＣのリスト、ＲＮＣはセルのリスト)などを貯蔵しなければならない。このように、所定のＭＢＭＳサービスを提供するために必要な制御情報の集合を本発明ではＭＢＭＳサービスコンテキストと称する。
【０００６】
　前述したように従来ではＭＢＭＳサービスを提供することにおいて、ＭＢ-ＳＣから伝達を受けるＭＢＭＳサービスデータを受信したＲＮＣ・１４０が多数のＮｏｄｅ ＢにＭＢＭＳサービスデータをどのように伝達するか具体的な方法を提示しないという問題点があった。言い換えれば、多数のセルを備えるＮｏｄｅ Ｂが前記ＲＮＣから伝送されたＭＢＭＳデータを管理しないという問題点があった。
　したがって、本発明ではＭＢ-ＳＣからＭＢＭＳサービスデータの伝達を受けたＲＮＣ・１４０が該当Ｎｏｄｅ Ｂに前記ＭＢＭＳサービスデータを伝達し、このＮｏｄｅ Ｂが該当セル別に相互に異なるＭＢＭＳサービスデータを提供管理する方法を提供しようとする。
【発明の開示】
【発明が解決しようとする課題】
【０００７】
　したがって本発明の目的は、移動通信システムで基地局がサービス別に決定される第１情報とセル別に決定される第２情報を基地局制御器から受信し、前記基地局が前記第１情報と第２情報を運用及び維持する装置及び方法を提供することにある。
　また本発明の目的は、移動通信システムで基地局制御器と前記基地局との間にマルチメディア放送マルチキャストサービスを提供するためのトランスポートベアラーを設定する装置及び方法を提供することにある。
　本発明のまた他の目的は、移動通信システムで基地局制御器がマルチメディア放送マルチキャストサービスデータを基地局に効率的に伝送する方法を提供することにある。
【課題を解決するための手段】
【０００８】
　このような目的を達成するために本発明は、多数の使用者端末機と、前記使用者端末機にマルチメディア放送マルチキャスト(ＭＢＭＳ)サービスを提供する多数のセルを含む基地局と、基地局と前記 基地局の隣接基地局を制御する基地局制御器とを含む移動通信システムで、前記基地局制御器と前記基地局との間にマルチメディア放送マルチキャストサービスを提供する方法において、前記基地局制御器が前記ＭＢＭＳサービスを支援するために、サービス別に決定される第１情報とセル別に決定される第２情報を含む要請メッセージを前記基地局に伝送する過程と、前記基地局が前記要請メッセージの前記第１情報と第２情報によりＭＢＭＳサービスを提供するためのサービスコンテキストを生成し、前記サービスコンテキスト識別情報を割り当てる過程と、前記基地局は前記サービスコンテキストにより前記基地局制御器と前記第１情報に相応するようにトランスポートベアラーをセットアップし、以後前記トランスポートベアラーを通じて前記基地局制御器から前記ＭＢＭＳサービスデータを受信すれば、前記それぞれのセルに前記受信したＭＢＭＳデータを伝送して前記使用者端末機が前記ＭＢＭＳデータを受信するように制御する過程とを含むことを特徴とする。
【０００９】
　また本発明は、移動通信システムでマルチメディア放送マルチキャストサービス(ＭＢＭＳ)データ伝送方法において、所定のＭＢＭＳに対するサービス開始を感知すれば、前記ＭＢＭＳデータを受信する使用者端末機が存在するセルを検出する過程と、前記セルが属する基地局とトランスポートベアラーをセットアップするための第１情報を決定して前記基地局に伝送する過程と、前記第１情報を受信した基地局は前記基地局制御器と前記第１情報に相応するようにトランスポートベアラーをセットアップし、以後前記トランスポートベアラーを通じて前記基地局制御器から前記ＭＢＭＳサービスデータを受信すれば、前記セルそれぞれに前記受信したＭＢＭＳデータを伝送して前記使用者端末機が前記ＭＢＭＳデータを受信するように制御する過程とを含むことを特徴とする。
【発明の効果】
【００１０】
　本発明は、基地局制御器と基地局との間にIubインタフェース上にＭＢＭＳサービスデータを伝達する方法を提示した。また、Iubインタフェース上に一つのトランスポートベアラーをセットアップすることにおいて、一つのトランスポートベアラーを通じてＭＢＭＳサービスデータを伝送するので、Iubインタフェースの資源を効率的に使用することができる効果がある。
【発明を実施するための最良の形態】
【００１１】
　以下、本発明による望ましい実施形態を添付の図面を参照して詳細に説明する。下記の説明では、本発明による動作を理解するのに必要な部分のみが説明され、それ以外の部分に関する説明は本発明の要旨を不明にする恐れがあるので省略する。
　本発明では、基地局制御器と基地局との間のIubインタフェースを通じてＭＢＭＳデータを効率的に伝送する方案を提示することにおいて、ＭＢＭＳサービスのためのトランスポートベアラー設定方案に関して提示する。
【００１２】
　図２は、本発明の一実施形態による移動通信システムでＭＢＭＳサービスを提供するための動作を示す流れ図である。
　同図を参照すれば、サービス登録(Subscription)段階２０１は所定のＭＢＭＳサービスを受けようとするＵＥがＭＢＭＳサービス提供者に登録を要請する過程である。サービス要請過程はＭＢＭＳサービス提供者とＵＥ間にＭＢＭＳサービスと関連して課金やＭＢＭＳサービスの受信に関連した基本的な情報を交換する過程である。
【００１３】
　案内(Announcement)段階２０２は所定のＭＢＭＳサービスに対するサービス案内がなされる段階である。この案内段階２０２を通じて所定のＭＢＭＳサービスを受けようとするＵＥは該当ＭＢＭＳサービスに対する基本的な情報、例えばＭＢＭＳサービスの識別子(ＭＢＭＳ SERVICE ＩＤ)、サービス開始時間と持続時間などを認知することができる。ＭＢ-ＳＣはＭＢＭＳサービスと関連した基本情報をＵＥに伝送するために、サービス案内メッセージをセル放送サービスなどを利用して放送可能である。
【００１４】
　案内段階２０２を通じて特定ＭＢＭＳサービスに対する基本情報を得たＵＥが所定のＭＢＭＳサービスの受信を受けようとすれば、接続(JOINING)段階２０３を遂行する。この接続段階２０３で前記ＵＥは受信しようとするＭＢＭＳサービス識別子を上位ネットワークＣＮに伝送する。このとき、上位ネットワークＣＮとＵＥとの間に位置している装置は所定のＭＢＭＳサービスを受信しようとするＵＥと、このＵＥが位置している装置を認知することができる。例えば、ＲＮＣ・１４０はＭＢＭＳサービスを受けようとするＵＥのリストとＭＢＭＳサービスを受けようとするＵＥが位置しているセルのリストがわかる。すなわち、段階２０２でＭＢＭＳサービス情報の案内を受けるＵＥは段階２０３で自分が受けようとする所定のＭＢＭＳサービスに対する識別子を上位ネットワークＣＮに伝送することにより、ＲＮＣ・１４０は所定のＭＢＭＳサービスを受けようとするＵＥのリストとそのＵＥが位置しているセルの情報をわかるようになる。
【００１５】
　マルチキャストモードベアラーセットアップ段階２０４でＣＮ上にＭＢＭＳサービスを提供するためのトランスポートベアラーを設定する。例えば、ＣＮ上のＳＧＳＮとゲートウェイパケット無線サービス支援ノード(Gateway GPRS Support Node：ＧＧＳＮ)との間にＭＢＭＳサービスのための GTP-U/UDP/IP/L2/L1 bearerが予め設定されうる。
　通知(Notification)段階２０５はＭＢＭＳサービスがすぐ始まるので、ＭＢＭＳサービスを受信しようとするＵＥを呼び出す段階で、ＵＥに実際ＭＢＭＳサービスデータを伝送する前にＭＢＭＳサービスが開始されることを知らせる段階である。この通知段階２０５には既存の呼出方式が使用され、あるいはＭＢＭＳサービスに最適化した呼出方式が使用されうる。すなわち、ＭＢＭＳサービスのための既存と異なる呼出の方式が使用可能である。
【００１６】
　無線資源割当て(Radio resource allocation)段階２０６はＭＢＭＳサービスを提供するために無線資源を実際割り当て、この割り当てられた情報を関連装置に公知する段階である。無線資源割当て段階２０６は無線ベアラーセットアップ過程と無線リンクセットアップ過程の２つの過程に分けられる。第１に、無線ベアラーセットアップ過程はＲＮＣが所定のセルに位置したＵＥに該当セルでＭＢＭＳサービスが伝送される無線ベアラー情報を知らせる過程である。第２に、無線リンクセットアップ過程はＲＮＣがＭＢＭＳサービスを受信するＵＥが位置しているセルにIubインタフェース上に構成されるトランスポートベアラー情報と無線ベアラー情報を知らせる過程である。
【００１７】
　前記無線資源割当て段階２０６まで進んだ後、データ伝送段階２０７で実際のＭＢＭＳサービスデータがＵＥに伝送される。段階２０８で、前記ＭＢＭＳサービスが終了すれば、段階２０６で設定した無線資源を解除する。
　図３は、本発明の一実施形態による基地局制御器と基地局との間にＭＢＭＳサービスデータを伝達するための過程を示す流れ図である。
　上記図２と図３を参照すれば、一つのＲＮＣ・３００は多数のＮｏｄｅ Ｂを制御することができ、一つのＮｏｄｅ Ｂ・３２０は多数のセルを制御することができる。図３は便宜上Ｎｏｄｅ Ｂ・３２０がCell_1〜Cell_nを制御すると仮定し、所定のＭＢＭＳサービスＸを受けようとする多数のＵＥはCell_1とCell_nに位置していると仮定する。
【００１８】
　段階３０１でＲＮＣ・３００は所定のＭＢＭＳサービスＸに対して多数の基地局のうち所定のＮｏｄｅ Ｂに無線伝送資源割当てを決定する。このとき、ＲＮＣ・３００は下記の場合により、ＭＢＭＳサービスＸに対して無線伝送資源割り当てを決定するようになる。ＲＮＣ・３００は上位システムＣＮからＭＢＭＳサービスＸに対する無線資源割当ての要求を受けた場合、ＭＢＭＳサービスＸに対する無線伝送資源を割り当てるようになる。また、ＲＮＣ・３００は段階２０５でＭＢＭＳサービスＸに対する通知過程を通じて一つ以上のＵＥがＭＢＭＳサービスＸの受信を要請した場合にＭＢＭＳサービスＸに対する無線伝送資源を割り当てるようになる。すなわち、段階２０５で通知を受けるＵＥの中で実際に現在ＵＥが所定のＭＢＭＳサービスＸに対してデータの受信を受けようとするとき、無線伝送資源割当てを決定するようになる。
【００１９】
　段階３０２でＭＢＭＳサービスＸに対して無線伝送資源割当てを決定したＲＮＣ・３００は前記ＭＢＭＳサービスＸに対する無線伝送資源と関連した情報を含んでいるＭＢＭＳトランスポートチャンネルセットアップ要求(ＭＢＭＳ TRANSPORT CHANNEL SETUP REQUEST)メッセージを前記 Ｎｏｄｅ Ｂ・３２０に伝送する。すなわち、ＲＮＣ・３００はＮｏｄｅ Ｂ・３２０にＭＢＭＳサービスを提供するための無線チャンネル設定を要求することである。このとき、Ｎｏｄｅ Ｂ・３２０は多数のセルを含んでも、ＲＮＣ・３００はＮｏｄｅ Ｂ・３２０に一つのトランスポートベアラーを通じてＭＢＭＳサービスＸを伝送させる。
【００２０】
　段階３０３で、ＭＢＭＳトランスポートチャンネルセットアップ要求メッセージを受信したＮｏｄｅ Ｂ・３２０はＭＢＭＳトランスポートチャンネルセットアップ要求メッセージから無線資源情報により該当セルに合わせて送信機を構成し、該当セルによる無線資源情報をＮｏｄｅ Ｂコンテキスト(Ｎｏｄｅ Ｂ Communication Context：以下、“ＮＢＣＣ”とする)に貯蔵する。すなわち、ＲＮＣ・３００からＭＢＭＳトランスポートチャンネルセットアップ要求メッセージを受信したＮｏｄｅ Ｂ・３２０はＭＢＭＳサービスＸに対するＮＢＣＣを構成するようになる。ＮＢＣＣに対しては図６に詳しく説明する。
【００２１】
　段階３０４で、ＮＢＣＣを構成したＮｏｄｅ Ｂ・３２０はＭＢＭＳトランスポートチャンネルセットアップ要求メッセージに対応するＭＢＭＳトランスポートチャンネルセットアップ応答(TRANSPORT CHANNEL SETUP RESPONSE)メッセージをＲＮＣ・３００に伝送する。すなわち、Ｎｏｄｅ Ｂ・３２０はＭＢＭＳトランスポートチャンネルセットアップ応答メッセージを通じてＲＮＣ・３００に該当セルの送信機構成が成功的に完了することを知らせる。また、Ｎｏｄｅ Ｂ・３２０はIubインタフェース(ＲＮＣとＮｏｄｅ Ｂを連結するインタフェース)上のトランスポートベアラーを設定するために必要な情報を前記ＭＢＭＳトランスポートチャンネルセットアップ応答メッセージに含ませてＲＮＣ・３００に伝送する。ここで、トランスポートベアラーを設定するための情報は図４及び図５で説明する。
【００２２】
　したがって、段階３０５でＲＮＣ・３００とＮｏｄｅ Ｂ・３２０との間のトランスポートベアラーが設定される。トランスポートベアラー設定過程は図４及び図５でより詳しく説明する。
　段階３０６でＮｏｄｅ Ｂ・３２０に存在する多数のセル領域に位置し、ＭＢＭＳサービスＸを受信しようとするＵＥ・３３０、３４０、３５０はＲＮＣ・３００と無線ベアラーセットアップ過程を実行する。段階３０６は本発明と直接的な関連はないので省略する。段階３０６が完了すれば、Ｎｏｄｅ Ｂ・３２０が制御するセル(Cell_1〜 Cell_n)のうち、ＭＢＭＳサービスデータＸを受信しようとするＵＥ(ＵＥ１、ＵＥｎ)が位置しているセルはＭＢＭＳサービスデータＸを受信する準備を完了する。この後、ＲＮＣ・３００はＣＮからＭＢＭＳサービスデータＸを受信し、ＭＢＭＳサービスデータＸをもってフレームプロトコル(Frame Protocol：以下、“ＦＰ”とする)のデータフレームを生成してＮｏｄｅ Ｂ・３２０に伝送する。このＦＰは図７により詳細に説明する。
【００２３】
　段階３０８で、Ｎｏｄｅ Ｂ・３２０はCell_1とCell_nに該当するＭＢＭＳサービスデータを設定された無線ベアラーを通じて送信する。したがって、各セルに位置したＵＥはＭＢＭＳサービスＸに対するデータを受信する。すなわち、Ｎｏｄｅ Ｂは上記で設定された無線ベアラーを通じて該当ＭＢＭＳサービスデータを前記ＭＢＭＳサービスデータを受けようとするＵＥに伝送するようになる。
　これは段階３０７で一つの同一のトランスポートベアラーを通じてＭＢＭＳサービスＸに対するデータを受信したＮｏｄｅ Ｂ・３２０は段階３０８で、前記ＭＢＭＳサービスＸを要請したＵＥが位置しているセルにそれぞれ設定された無線ベアラーを通じてＭＢＭＳサービスＸを送信するようになる。
【００２４】
　図４は、本発明の一実施形態による基地局制御器(ＲＮＣ)でＭＢＭＳサービスデータを伝達するための過程を示す流れ図である。図４を参照して図３の過程を遂行するためのＲＮＣ・３００の動作をより詳しく説明する。すなわち、ＭＢＭＳサービスを受けようとするＵＥに関する情報及びそれにより本発明の一実施形態により設定されるトランスポートベアラーを設定する過程まで含むＲＮＣ・３００の動作をより詳細に説明しようとする。
【００２５】
　図２、図３、及び図４を参照すれば、段階４０１でＲＮＣ・３００は所定のＭＢＭＳサービス基地局でサービスＸに対して無線伝送資源割当てを決定する。すなわち、実際の所定のＭＢＭＳサービスが開始される時点に前記の所定のＭＢＭＳサービスデータの受信を受けるために要請した少なくとも一つ以上のＵＥに所定のＭＢＭＳサービスデータを伝送するための無線伝送資源の割り当てを決定する段階である。段階４０１でＲＮＣ・３００が所定のＭＢＭＳサービスＸに対する無線伝送資源の割当てを決定した後、段階４０２でＲＮＣ・３００はＭＢＭＳサービスＸを受けようとするＵＥが位置しているセルと、このセルを含むＮｏｄｅ Ｂを確認する。このとき、ＲＮＣ・３００はＮｏｄｅ Ｂとセルのリストを図２の段階２０５の通知過程を通じて貯蔵可能である。また、ＲＮＣ・３００は上位システムのＣＮからＵＥのリストを受信して前記ＵＥのリストに基づいてＵＥが位置しているセルと、これらセルを含むＮｏｄｅ Ｂを確認することができる。
【００２６】
　すなわち、ＲＮＣ・３００は同一のトランスポートベアラーを通じてＭＢＭＳデータＸをＮｏｄｅ Ｂに伝送する。このとき、ＭＢＭＳサービスデータＸを受信する多数のＵＥは相互に異なるセルに位置する。したがって、ＲＮＣ・３００はＭＢＭＳサービスＸを受信するＵＥを含むセルと、このセルを含むＮｏｄｅ Ｂの位置情報を確認する。
　段階４０３で、ＲＮＣ・３００は前記セルと、これらセルを含むＮｏｄｅ Ｂと無線ベアラーを設定するためにＭＢＭＳサービスＸに対するＭＢＭＳ無線ベアラー情報を決定する。このＭＢＭＳ無線ベアラー情報はＭＢＭＳサービス別に決定可能である。また、ＭＢＭＳ無線ベアラー情報はパケットデータ転換プロトコル(Packet Data Conversion　Protocol)情報と無線リンク制御情報などで構成される。
　段階４０４で前記ＲＮＣ・３００はＭＢＭＳサービスＸを提供するための階層２ (Layer2：以下、“Ｌ２”とする)情報を決定する。
【００２７】
　Ｌ２情報＝[ＴＦＳ for ＭＢＭＳ TrCH_1,…, ＴＦＳ for ＭＢＭＳ TrCH_n, TFCS]
【００２８】
　前記Ｌ２情報はサービス別に決定され、所定のＭＢＭＳサービスに対して多数のトランスポートチャンネルが多重化される場合には各トランスポートチャンネル別にトランスポートフォーマットセット(TFS for ＭＢＭＳ TrCH_1,…, TFS for ＭＢＭＳ TrCH_n)を決定する。
　段階４０５でＭＢＭＳサービスを提供するためのＭＢＭＳ階層１(Layer１：以下、“Ｌ１”とする)情報を決定する。ＭＢＭＳ Ｌ１情報は各セル別に決定され、下記のような情報で構成される。
【００２９】
　ＭＢＭＳ Ｌ１情報＝[C_ID, RL ID, channelization code情報, timing情報, maximum power情報]
【００３０】
　前記 Ｃ_ＩＤはＬ１情報が適用されるセルの識別子を意味する。前記ＲＬ ＩＤはＬ１情報に具体化される無線リンクの識別子を意味する。また、Channelization code情報は拡散係数と拡散コードトリー上の位置を意味し、ＭＢＭＳサービスが要求する伝送速度などにより前記情報は決定されうる。
　タイミング情報は各セルのローカルタイム(local time：以下、“ＳＦＮ”とする)と前記ＲＮＣ・３００のローカルタイムの差を補正する情報である。このタイミング情報は今後ＦＰヘッダの連結フレームナンバ(Connection Frame Number：以下、“ＣＦＮ”とする)値を各セルのシステムフレームナンバ(System Frame Number：以下、“ＳＦＮ”とする)に転換する演算に使用される。例えば、所定のセル１のタイミング情報Ｔ_１であれば、ＦＰヘッダのＣＦＮにＴ_１を合算した場合、ＦＰのペイロード(payload)を伝送すべきＳＦＮが算出されることができる。
【００３１】
　最大パワー(Maximum power)情報は該当セルで適用できる最大伝送出力を意味する。この最大パワーはセルの伝送資源状態によりセル別に異なるように適用可能である。
　段階４０６で、ＲＮＣ・３００は段階４０２でＵＥのリストに基づいてＵＥが位置しているＮｏｄｅ ＢにＭＢＭＳトランスポートチャンネルセットアップ要求メッセージを伝送する。このメッセージは次のように構成される。
【００３２】
　ＭＢＭＳトランスポートチャンネルセットアップ要求＝
　　　　　[ＭＢＭＳ ＲＢ情報 ＊１, ＭＢＭＳ Ｌ２情報＊１, ＭＢＭＳ Ｌ１情報＊ｎ]
【００３３】
　上述したようにＭＢＭＳ無線ベアラー情報とＭＢＭＳ Ｌ２情報はすべてのセルに同一なので一度のみ挿入され、ＭＢＭＳ Ｌ１情報はセル別に異なるので、セルの個数ｎだけ挿入される。また、所定のＭＢＭＳサービスを受信するセルに関する情報は所定のＭＢＭＳサービスを受けるＮｏｄｅ Ｂのセルの個数だけ反復挿入して一つのメッセージに伝送することもできる。これは、Ｎｏｄｅ Ｂに同一のトランスポートベアラーを一つ設定することとは差別的である。また、セル別にＭＢＭＳ無線ベアラー情報とセルの情報及びＭＢＭＳ Ｌ２の情報を入れて所定のＭＢＭＳサービスを受けるセルの個数だけ反復して情報を伝送することも可能である。
【００３４】
　段階４０７でＮｏｄｅ ＢはＭＢＭＳトランスポートチャンネルセットアップ要求メッセージを通じてＭＢＭＳ無線ベアラー情報、ＭＢＭＳ Ｌ２情報、ＭＢＭＳ Ｌ１情報によりセル別に送信機を構成するようになる。このとき、Ｎｏｄｅ ＢはＭＢＭＳデータの送受信に使用されるIubインタフェース上のトランスポートベアラーのトランスポートアドレス情報とバインディング(binding)ＩＤをＭＢＭＳトランスポートチャンネルセットアップ要求メッセージに挿入できる。また、ＲＮＣ・３００がＭＢＭＳトランスポートチャンネルセットアップ要求メッセージを通じて構成された送信機と前記情報を含むＮＢＣＣ (Ｎｏｄｅ Ｂ Communication Context)の識別子が挿入可能である。このＮＢＣＣについて図６でより詳細に説明する。
【００３５】
　段階４０８で、Ｎｏｄｅ ＢとＲＮＣは前記トランスポートアドレス情報とバインディングＩＤを利用してIubインタフェース上にトランスポートベアラーを設定する。
　これら段階４０６〜４０８は、ＭＢＭＳサービスＸを受けようとするＮｏｄｅ Ｂの数だけに反復遂行される。すなわち、ＭＢＭＳサービスＸを要請したＵＥが位置しているＮｏｄｅ Ｂと個別的に進行されなければならない。
【００３６】
　このような段階４０６〜４０８はＲＮＣ・３００がＮｏｄｅ ＢにＭＢＭＳトランスポートチャンネルセットアップ要求メッセージを伝送し、前記Ｎｏｄｅ ＢからＭＢＭＳトランスポートチャンネルセットアップ応答メッセージを受信してトランスポートベアラーを設定する過程で、トランスポートベアラーはＭＢＭＳサービスの種類別に異なって設定すべきであり、同一のＭＢＭＳサービスであってもＮｏｄｅ Ｂ別には相違したトランスポートベアラーを設定すべきである。
【００３７】
　段階４０９で、ＲＮＣ・３００は段階４０６〜４０８が完了したＮｏｄｅ Ｂに属するＵＥにＭＢＭＳ無線ベアラー情報/ＭＢＭＳ Ｌ２情報/ＭＢＭＳ Ｌ１情報を伝送し、それに対する応答を受信する。所定のセルと前記セルに属するＵＥに対して段階４０９まで進行すれば、ＭＢＭＳサービスＸを前記セルとＵＥにサービスすることができる準備が完了したことを意味する。
【００３８】
　段階４１０で、上位システムのＣＮからＭＢＭＳサービスデータＸを受信すれば、ＲＮＣ・３００はＭＢＭＳサービスデータＸをＭＢＭＳフレームプロトコル(ＦＰ)を利用して各Ｎｏｄｅ Ｂ別に構成されているトランスポートベアラーを通じて伝送する。ここで、ＭＢＭＳ ＦＰは図７に更に説明する。
　図５は、本発明の一実施形態による基地局(Ｎｏｄｅ Ｂ)でＭＢＭＳサービスデータを伝達するための過程を示す流れ図である。
【００３９】
　同図を参照すれば、段階５０１でＮｏｄｅ Ｂ・３２０はＲＮＣの段階４０６で要請された所定のＭＢＭＳサービスＸに対するＭＢＭＳトランスポートチャンネルセットアップ要求メッセージを受信するようになる。これは、上記したように所定のＭＢＭＳサービスＸを提供するために設定しようとするトランスポートベアラーを通じて情報を受信するようになる。
　図３と図５を参照すれば、段階５０２でＮｏｄｅ Ｂが所定のＭＢＭＳサービスＸに対してＭＢＭＳトランスポートチャンネルセットアップ要求メッセージを受信すれば、ＮＢＣＣ(Ｎｏｄｅ Ｂ Communication Context)を構成し、関連情報を貯蔵する。このＮＢＣＣ構造については図６で説明する。
【００４０】
　段階５０３ではＮｏｄｅ Ｂ・３２０が前記ＮＢＣＣのＭＢＭＳ Ｌ２情報とＭＢＭＳ Ｌ１情報を利用してセル別に送信機を構成する。すなわち、ＲＮＣから受信された所定のＭＢＭＳサービスデータを受信するＵＥが位置しているセルに関する情報により、所定のＭＢＭＳサービスを提供する該当セルの送信機を構成するようになる。
　段階５０４で、Ｎｏｄｅ Ｂ・３２０はＲＮＣ・３００にＭＢＭＳトランスポートチャンネルセットアップ応答メッセージを送信する。このとき、ＭＢＭＳトランスポートチャンネルセットアップ応答メッセージはトランスポートベアラーアドレス情報とバインディングＩＤを挿入する。また、ＮＢＣＣ　ＩＤを挿入する。
【００４１】
　段階５０５で、Ｎｏｄｅ Ｂ・３２０はＲＮＣ・３００とIubインタフェース上にトランスポートベアラーを設定する。段階５０５まで進行されると、Ｎｏｄｅ ＢはＭＢＭＳサービスＸを提供するための完了した状態である。より詳細に説明すれば、Ｎｏｄｅ ＢはＲＮＣから所定のＭＢＭＳサービスＸに対するデータを一つのトランスポートベアラーを通じて受信を受ける準備になる。
【００４２】
　段階５０６でＮｏｄｅ Ｂ・３２０がＦＰを利用してＭＢＭＳサービスデータを受信すれば、ＦＰのヘッダ情報を利用してＭＢＭＳサービスデータを適切に処理する。すなわち、段階５０５でＲＮＣから設定されたトランスポートベアラーを通じて所定のＭＢＭＳサービスデータを受信したＮｏｄｅ Ｂ・３２０はＭＢＭＳサービスデータＸを受信するＵＥが位置しているセルの送信機を利用して各セルに伝送するようになる。段階５０６は図７でより詳細に説明する。
【００４３】
　図６は、本発明の一実施形態によるＮＢＣＣの構造を示すものである。
　図６を参照すれば、Ｎｏｄｅ ＢがＲＮＣ・３００からＭＢＭＳトランスポートチャンネルセットアップ要求メッセージを受信すれば、Ｎｏｄｅ Ｂはこのメッセージに対応するＮＢＣＣを構成する。
　すなわち、Ｎｏｄｅ ＢがＭＢＭＳトランスポートチャンネルセットアップ要求メッセージを受信すれば、新たなＮＢＣＣを生成した後、ＩＤを割り当てる。このとき、ＮＢＣＣ　ＩＤ６０２は論理的識別子なので、その時点で使用されていない２０ビットサイズのビットストリームを割り当てる。そして、このメッセージに含まれているＬ２情報は適切な変数に貯蔵される。Ｌ２情報にTrCH IDとトランスポートフォーマットセット(Transport Format Set：以下、“ＴＦＳ”とする)がｎつ含まれている場合、TrCH IDは６０４-１〜６０４-ｎに、ＴＦＳは６０５-１〜６０５-ｎに貯蔵する。ＴＦＳは該当トランスポートチャンネルに属するデータを処理する方式を規定したＴＦ(Transport Format)と識別子ＴＦＩ(Transport Format ID)で構成される。また、前記メッセージに含まれているＴＦＣＳ(Transport Format Combination Set)情報を変数ＴＦＣＳ・６０６の情報に貯蔵する。
【００４４】
　また、メッセージに含まれているＬ１情報を適切な変数に貯蔵する。このメッセージにはセル別にCell IDとRL IDとコード情報とタイミング情報と伝送出力関連情報を包括するＬ１情報が含まれており、各情報を図６に示したように６０７-１〜６１１-ｍの変数に貯蔵する。
　Ｎｏｄｅ ＢがＭＢＭＳトランスポートチャンネルセットアップ要求メッセージの情報を利用してＮＢＣＣを構成すれば、ＮＢＣＣの変数値によりセル別に送信機を設定する。すなわち、Ｎｏｄｅ ＢはCell IDに対応するセルの送信機をコード情報に合わせて拡散器を設定し、伝送出力情報に合わせて最大伝送出力を設定し、タイミング情報に合わせて伝送時点を設定する。また、Ｎｏｄｅ ＢはＴＦＳ６０５-１〜６０５-ｎ値によりチャンネルコーディング方式とレートマッチング方式などを設定する。
【００４５】
　上述したように、各セル別に送信機を設定したＮｏｄｅ ＢはIubインタフェース上のトランスポートベアラーに使用するトランスポートアドレスとバインディングＩＤを決定してトランスポートベアラー情報変数６０３に貯蔵し、ＲＮＣにＭＢＭＳトランスポートベアラーセットアップ応答メッセージを伝送する。このＭＢＭＳトランスポートベアラーセットアップ応答メッセージはトランスポートアドレスとバインディングＩＤとＮＢＣＣ　ＩＤ・６０２とを含む。ＲＮＣ・３００はトランスポートアドレスとバインディングＩＤを利用して構成したIubインタフェース上のトランスポートベアラーを通じて前記ＭＢＭＳサービスデータを前記Ｎｏｄｅ Ｂに伝送する。
【００４６】
　例えば、もしIubインタフェース上のトランスポートベアラーがＡＡＬ２(ATM Adaptation Layer 2)/ＡＴＭであれば、トランスポートアドレスはＡＡＬ２チャンネルＩＤとＶＣＩ/ＶＰＩと同一の値をもって対をなすことができる。Ｎｏｄｅ Ｂはトランスポートアドレスに到着するＦＰデータフレームのペイロードをＮＢＣＣを通じて構成される送信機に伝送する。このとき、ＮＢＣＣを通じて構成される送信機がｍつであれば、すなわちｍつのセルそれぞれに送信機が構成されると、ＦＰデータフレームを通じて受信したＭＢＭＳサービスデータを前記ｍつの送信機に伝送する。結果的に、セルに同一のＭＢＭＳサービスデータを伝送する。
【００４７】
　図７は、本発明の一実施形態によるＭＢＭＳフレームプロトコルデータフレーム構造を示すものである。
　図７を参照すれば、ＭＢＭＳ ＦＰはＲＮＣ・３００とＮｏｄｅ Ｂ・３２０との間にＭＢＭＳサービスデータストリームを授受するプロトコルであり、下位階層のトランスポートアドレスによりどの受信側に対応するかが決定される。例えば、ＭＢＭＳサービスＸに対するトランスポートアドレスがｙに設定されていれば、アドレスｙに伝送されるＦＰデータフレームの受信側はＭＢＭＳサービスＸの受信側と一致する。したがって、ＭＢＭＳ ＦＰのデータフレームには受信側の識別子を含まずに、下位階層のトランスポートアドレスが前記受信側の識別子役割をする。
【００４８】
　ヘッダＣＲＣ・７０１はヘッダ部分ＣＲＣ演算結果が挿入される部分で、７ビットからなる。受信側はヘッダＣＲＣ・７０１を利用して受信したＦＰのヘッダの誤り有無が確認できる。フレームタイプ７０２は１ビット情報で、データフレームと制御フレームを区別する役割をする。本発明で、ＭＢＭＳ ＦＰ制御フレームが使用されないので、その詳しい説明は省略する。ＣＦＮはＭＢＭＳトランスポートチャンネルセットアップ要求メッセージを利用して伝送した各セル別タイミング情報を利用して各セル別地域時間に変換すべき時間情報である。例えば、所定のＮｏｄｅ Ｂに２つのセルが構成されており、Cell_1とCell_2の地域時間がＳＦＮ_１とＳＦＮ_２であると仮定する。ＲＮＣ・３００が伝送したタイミング情報がＴ_１、Ｔ_２であると仮定する。このとき、ＭＢＭＳ ＦＰのデータフレームのＣＦＮがＡとすれば、Cell_1がデータフレームを通じて伝送されたペイロードを無線チャンネルに伝送すべき地域時間ＳＦＮ_1はＡとＴ_１とを合わせた値となる。また、ＳＦＮ_２はＡとＴ_２とを合わせた値となる。スペア(Spare)７０４はヘッダのバイト整列のために３ビットの無意味な情報を挿入する区間である。第１トランスポートチャンネルのトランスポートフォーマット表示器(Transport Format Indicator：以下、“ＴＦＩ”とする)７０５はデータフレームを通じて伝送される第１トランスポートチャンネルのＴＦＩが挿入される部分である。ＴＦＩ・７０５は通常的にデータのサイズ、すなわちペイロード７１０のサイズを示す。また、ＴＦＩ・７０５はトランスポートチャンネル別に構成され、ＴＦＩ・７０５の集合はＴＦＳ・６０５に貯蔵される。
【００４９】
　今までＭＢＭＳ ＦＰのデータフレームのヘッダ構造を説明し、次にペイロードの構造を説明する。
　第１トランスポートチャンネルのペイロード７１０は所定のＭＢＭＳサービスを提供するためにＮｏｄｅ ＢとＲＮＣ・３００との間に構成されている第１トランスポートチャンネルに対応され、サイズはＴＦＩ・７０５を通じて通報される。
【００５０】
　最後のトランスポートチャンネルのペイロード７１２が挿入された後、ペイロードチェックサム７１３が挿入される。ペイロードチェックサム７１３はペイロード７１０〜７１２に対するチェックサム演算結果が挿入される部分である。受信側はペイロードチェックサム７１３部分を利用してペイロードの誤り発生有無が確認可能である。
　図８は、本発明の一実施形態による基地局の送信機構造を示すものである。図８で、Ｎｏｄｅ Ｂ・８００は本発明と関連した部分のみを示す。
【００５１】
　図８を参照すれば、Ｎｏｄｅ Ｂ・８００は制御ポート(control port)８１０を通じてＲＮＣから伝送された制御メッセージを受信する。すなわち、制御ポート８１０はＲＮＣとＮｏｄｅ Ｂ・８００との間の制御メッセージを交換する役割を遂行する。これは、一般に下位階層のトランスポートアドレスに区別される。例えば、Ｒ９９ＵＭＴＳ(Universal Mobile Telecommunication System)のIubインタフェースで制御メッセージはＡＡＬ５/ＡＴＭを利用して伝送される。このとき、制御ポート８１０はＲＮＣとＮｏｄｅ Ｂ・８００との間に予め約束されたＡＡＬ５/ＡＴＭアドレスを通じて送/受信されるデータを意味する。この制御ポート８１０はＭＢＭＳトランスポートチャンネルセットアップ要求メッセージを受信し、送信制御器(Tx controller)８２０に伝達する。また、送信制御器８２０はＭＢＭＳトランスポートチャンネルセットアップ要求メッセージに含まれた制御情報を利用して図６のようなＮＢＣＣを構成し、コード情報６０９-１〜６０９-ｎとタイミング情報６１０-１〜６１０-ｎとパワー情報６１１-1〜６１１-ｎの変数に貯蔵されている情報により各セルの送信機を構成する（８０３）。また、送信制御器８２０は分配ユニット(distribution unit)８５０とデータポート(data port)８４０に制御信号を印加して該当ＭＢＭＳサービスデータを適切なセルの送信機と連結するように制御する。そして、制御ポート８１０はトランスポートアドレス情報を決定した後、ＭＢＭＳトランスポートチャンネルセットアップ応答メッセージを通じてＲＮＣ・３００に送信する。そして、図３の段階３０５のトランスポートベアラーセットアップ過程を実行し、その実行結果によりデータポート８４０を構成する。前記データポート８４０は制御ポート８１０と同様に下位階層のトランスポートアドレスと対応する。例えば、所定のＭＢＭＳサービスＸに対するデータポート８４０はＭＢＭＳサービスに対するトランスポートベアラーセットアップ過程を通じて決定されたＡＡＬ２/ＡＴＭアドレスを意味する。すなわち、Iubインタフェース上で特定ＡＡＬ２/ＡＴＭアドレスをもって受信されるＡＴＭセルはデータポート８４０を通じて受信されると見なすことができる。
【００５２】
　上記のように、Ｎｏｄｅ Ｂ・８００がＭＢＭＳサービスデータＸに対するＭＢＭＳトランスポートチャンネルセットアップ要求/応答メッセージを送/受信し、トランスポートベアラーセットアップ過程を通じてデータポート８４０を設定すれば、ＭＢＭＳサービスデータＸを受信して該当セルに伝送する準備を完了した状態である。この後、データポート８４０を通じてＭＢＭＳサービスデータＸが到着すれば、ＭＢＭＳサービスデータＸは分配ユニット８５０を経て適切なセルの送信機に分配され、各セルの送信機を通じて無線上に伝送される。
【００５３】
　以下、分配ユニット８５０をより詳しく説明する。分配ユニット８５０はＤＵ制御器８５１、スイッチ８５４、コピー機(copier)８５３、及びＦＰヘッダプロセッサ(Header Processor)８５２で構成される。
　前記送信制御器８２０はＤＵ制御器８５１にセル識別子を伝達する。
【００５４】
　前記ＤＵ制御器(Distribution Unit controller)８５１は送信制御器８２０から伝達されるセル識別子をスイッチ８５４に伝達し、セルの個数ｎをコピー機８５３に伝達する。このコピー機８５３は今後ＦＰヘッダプロセッサ８５２が伝達するデータを前記セルの個数ｎだけにコピーした後、スイッチ８５４に伝達する。このスイッチ８５４はＤＵ制御器８５１が伝達するセル識別子に対応するｎつのセル送信機と連結を設定した後、コピー機８５３が伝達するｎつのデータをそれぞれのセル送信機に伝達する。ＦＰヘッダプロセッサ８５２はデータポート８４０が伝達する、図７のようなデータフレームのヘッダ部分を処理する。より具体的に、ＦＰヘッダプロセッサ８５２はＣＲＣ演算を通じてヘッダの誤り有無を検査する。この検査結果、誤りがない場合ヘッダＣＲＣ７０１とフレームタイプＦＴ７０２を除いた残り部分をコピー機８５３に伝達する。このコピー機８５３は前述したようにヘッダプロセッサ８５２が伝達するデータをｎ回コピーしてスイッチ８５４に伝達する。スイッチ８５４は連結されたセル送信機にデータを一つずつ伝達すれば、各セルの送信機は伝達を受けたデータを処理して無線チャンネルに伝送する。
【００５５】
　図９は、本発明の一実施形態による基地局制御器と基地局との間にＭＢＭＳサービスデータを伝送する過程を具体的に説明するものである。図３、図８、及び図９を参照して説明する。
　ＲＮＣ・９００はＳＧＳＮが伝送する所定のＭＢＭＳサービスＸに対するＭＢＭＳ ＲＡＢ割当て要求(MBMS RAB Assignment Request)メッセージを受信すれば、ＭＢＭＳサービスＸを受信しようとするＵＥのリストと前記ＵＥの位置を確認する。ここで、サービスＸを受信しようとするＵＥはCell １・９２０と Cell３・９４０に位置しており、ＵＥの識別子９２１、９２２、９２３、９２４、９２５、９２６、９４１、９４２、９４３、９４４、９４５はセル１・９２０とセル３・９４０に位置すると仮定する。この識別子がセル識別子と関連があるように例を挙げたが、実際識別子はＩＭＳＩ(International Mobile Subscribe Identity)との各ＵＥに割り当てられた固有識別子である。このＵＥの識別子はＳＧＳＮがＭＢＭＳ ＲＡＢ　割当て要求メッセージを通じてＲＮＣ・９００に伝達する。ＲＮＣ・９００は通知過程２０５を通じてＵＥとＲＲＣ連結を有している。したがって、ＲＮＣ・９００はＵＥの位置を確認している。したがって、ＵＥの位置を確認しているＲＮＣ・９００は前記ＭＢＭＳサービスＸを受信しようとするＵＥが位置しているCell １・９２０とCell ３・９４０に適用するＲＢ情報、Ｌ２情報、Ｌ１情報を決定する。一般的にＲＢ情報はＰＤＣＰ情報とＲＬＣ情報からなり、これら情報はすべてのセルに共通的に適用される。Ｌ２情報はＴＦＳ情報などがある。たとえば、ＭＢＭＳサービスＸは一つのトランスポートチャンネルで構成される。トランスポートチャンネルのトランスポートブロックサイズは１００ビットで、チャンネルコーディング方式は１/３畳み込み符号化(Convolutional coding)を使用する。また、使用可能なトランスポートブロックセットのサイズが１００、２００、３００、６００ビットであれば、ＴＦＳ情報は次のように構成される。
【００５６】
　ＴＦＳ for ＭＢＭＳ TrCH : ＴＦＩ１＝１００bit, ＴＦＩ２＝２００bit, ＴＦＩ３＝
　３００bit, ＴＦＩ４＝６００bit, semi-static part : ＴＢ size＝１００bit, channel 
　coding＝１/３CC
【００５７】
　ＴＦＳ情報は今後ＵＥ・９２１〜９２６、９４１〜９４５とＮｏｄｅ Ｂ・９１０に伝達される。
　また、ＲＮＣ・９００はＭＢＭＳサービスＸに適用するＬ１情報を各セル別に決定する。Ｌ１情報は例えば、次のようである。 
【００５８】
　Ｌ１ for Cell 1 : ＲＬ ＩＤ＝1, ＳＦ＝16, channel code＝15, max power＝ -3 dB,
　Ｌ１ for Cell 3 : ＲＬ ＩＤ＝2, ＳＦ＝16, channel code＝10, max power＝ -3dB
【００５９】
　ＲＮＣ・９００はＭＢＭＳチャンネルセットアップ要求メッセージを利用してＮｏｄｅ Ｂ・９１０に情報を伝達する。Ｎｏｄｅ Ｂ・９１０はこれら情報を受信すれば、図６のようにＮＢＣＣを構成し、このＮＢＣＣを利用して各セルの送信機を構成する。すなわち、Cell 1・９２０の送信機の拡散器はＳＦ16の15番目のチャンネルコードが適用され、チャンネルコーディング器には１/３CCが適用される。また、Ｎｏｄｅ Ｂ・９１０はCell ３・９４０の場合もCell１・９２０と同一の方式で各セルの送信機を構成し、ＭＢＭＳチャンネルセットアップ応答メッセージをＲＮＣ・９００に伝送する。このとき、前記メッセージは次のように構成される。
【００６０】
　ＭＢＭＳチャンネルセットアップ応答＝ [ＮＢＣＣ　ＩＤ:４, successful ＲＬ: ＲＬ　ＩＤ１ , ＲＬ　ＩＤ３, failed ＲＬ: null, transport bearer : ＡＡＬ２ ch id＝３,ＡＴＭ ＶＰＩ/ＶＣＩ＝２]
【００６１】
　以後、ＲＮＣ・９００はＭＢＭＳサービスデータＸをＮｏｄｅ Ｂ・９１０に伝送することにおいて、AAL2 ch idは３を、ATM VPI/VCIは２を使用する。Ｎｏｄｅ Ｂ・９１０は受信したデータのAAL2 ch idが３、ATM VPI/VCIが２の場合、前記データがＭＢＭＳサービスデータであることを認知し、該当ＤＵ制御器８５０に伝達してCell 1・９２０と前記 Cell 2・９４０に伝送する。Cell 1・９２０のＵＥ・９２１〜９２６は無線ベアラーセットアップ過程３０６を通じてＲＢ情報、Ｌ２情報とCell 1・９２０のＬ１情報を認知しており、Cell 1・９２０が伝送するＭＢＭＳサービスデータを受信することができる。前記Cell2・９３０のＵＥはCell　1・９２０のＵＥと同一の方法でＭＢＭＳサービスデータが受信可能である。
【００６２】
　一方、所定のＭＢＭＳサービス、一例でＭＢＭＳサービスＸに対するデータを受信するセル情報が変更される場合、このセルの変更により該当セルのセル送信機の構成及び送信機の構成解除（release）がなされるべきである。一例として、図９でセル３・９４０でＭＢＭＳサービスを受けているＵＥ・９４１がセル２・９３０にハンドオーバする場合、セル２・９３０は現在ＭＢＭＳサービスを提供しないので、新たにＭＢＭＳサービスに対するセル送信機を構成しなければならない。ここで、ＵＥ・９４１のハンドオーバはＲＮＣ・９００が感知しており、このＲＮＣ・９００はＵＥ1・９４１が属するセル情報をＮｏｄｅ Ｂ・９１０に伝送する。すると、Ｎｏｄｅ Ｂ・９１０はＲＮＣ・９００から受信した情報に相応すうようにセル２・９３０に対してＭＢＭＳサービスを提供するための無線ベアラー情報を決定し、前記決定した無線ベアラー情報に相応するようにセル２・９３０と無線ベアラーを設定する。その後、Ｎｏｄｅ Ｂ・９１０はＲＮＣ・９００と設定されているトランスポートベアラーを通じて受信されるＭＢＭＳサービスデータを前記セル２・９３０と設定された無線ベアラーを通じてセル２・９３０に伝送する。ここで、Ｎｏｄｅ Ｂ・９１０はセル２・９３０に対して決定された無線ベアラー情報と相応するようにセル送信機を構成することである。
【００６３】
　また、セル３・９４０に属してＭＢＭＳサービスを受けているすべてのＵＥ、すなわちＵＥ・９４１〜９４５がすべてセル１・９２０あるいはセル２・９３０にハンドオーバする場合、セル３・９４０でＭＢＭＳサービスを提供するために設定されている無線ベアラーは解除されるべきであり、無線ベアラーに相応するように構成されているセル送信機もその構成が解除されなければならない。その結果、不要なＭＢＭＳサービスの伝送、すなわち実際ＭＢＭＳサービスの提供を受けるＵＥが存在しないことにもかかわらず、ＭＢＭＳサービスが提供される場合を防ぐことができる。
【００６４】
　一方、本発明の詳細な説明では具体的な実施形態に関して説明したが、本発明の範囲を外れない限り多様な変形が可能であることはもちろんである。したがって、本発明の範囲は説明した実施形態に局限して定められてはいけないし、特許請求の範囲だけでなく特許請求の範囲と均等なものにより定められなければならない。
【図面の簡単な説明】
【００６５】
【図１】一般的なＭＢＭＳサービスを提供するための移動通信システムの構造を示す構成図である。
【図２】本発明の一実施形態による移動通信システムでＭＢＭＳサービスを提供するための動作を示す流れ図である。
【図３】本発明の一実施形態による基地局制御器と基地局との間でＭＢＭＳサービスデータを伝送するための過程を示す流れ図である。
【図４】本発明の一実施形態による基地局制御器でＭＢＭＳサービスデータを伝送するための過程を示す流れ図である。
【図５】本発明の一実施形態による基地局でＭＢＭＳサービスデータを伝送するための過程を示す流れ図である。
【図６】本発明の一実施形態によるＮＢＣＣの構造を示す図である。
【図７】本発明の一実施形態によるＭＢＭＳフレームプロトコルデータフレーム構造を示す図である。
【図８】本発明の一実施形態による基地局の送信機構造を示す図である。
【図９】本発明の一実施形態による基地局制御器と基地局との間でＭＢＭＳサービスデータを伝送する過程を具体的に説明するための図である。
【符号の説明】
【００６６】
　８００…Ｎｏｄｅ　Ｂ
　８１０…制御ポート
　８２０…送信制御器
　８３０−ｎ…
　８４０…データポート
　８５０…分配ユニット
　８５１…ＤＵ制御器
　８５２…ＦＰヘッダプロセッサ
　８５３…コピー機
　８５４…スイッチ
【図１】
2004135283.tif 000003
【図２】
2004135283.tif 000004
【図３】
2004135283.tif 000005
【図４】
2004135283.tif 000006
【図５】
2004135283.tif 000007
【図６】
2004135283.tif 000008
【図７】
2004135283.tif 000009
【図８】
2004135283.tif 000010
【図９】
2004135283.tif 000011
【外国語明細書】
2004135283.tif 000012
2004135283.tif 000013
2004135283.tif 000014
2004135283.tif 000015
2004135283.tif 000016
2004135283.tif 000017
2004135283.tif 000018
2004135283.tif 000019
2004135283.tif 000020
2004135283.tif 000021
2004135283.tif 000022
2004135283.tif 000023
2004135283.tif 000024
2004135283.tif 000025
2004135283.tif 000026
2004135283.tif 000027
2004135283.tif 000028
2004135283.tif 000029
2004135283.tif 000030
2004135283.tif 000031
2004135283.tif 000032
2004135283.tif 000033
2004135283.tif 000034
2004135283.tif 000035
2004135283.tif 000036
2004135283.tif 000037
2004135283.tif 000038
2004135283.tif 000039
2004135283.tif 000040
2004135283.tif 000041
2004135283.tif 000042
2004135283.tif 000043
2004135283.tif 000044
2004135283.tif 000045
2004135283.tif 000046
2004135283.tif 000047
2004135283.tif 000048
2004135283.tif 000049